(57)【要約】【課題】視覚障害者であっても所望の吸収性物品を容易に選択する。【解決手段】包装体１は、包装袋３の内部に複数の吸収性物品９を収容したものであり、略直方体である。包装袋３の上面１１、前面１３、後面１４および側面１５，１６には、吸収性物品９の種類やサイズ、収容枚数等を示す製品情報が視認可能に表示された第１情報表示部２１が配置される。また、吸収性物品９の製品情報が点字により表示された第２情報表示部２２が、包装袋３の前面１３、後面１４および側面１５，１６の下半分の領域に連続して配置される。第２情報表示部２２は、点字が形成されたシート状の情報部材が、包装袋３の包装シート部材の外面に貼付されることにより設けられる。これにより、陳列棚に陳列された包装袋３に視覚障害者が触ることにより、包装袋３の内部に収容された吸収性物品９の製品情報を入手し、所望の吸収性物品９を容易に選択することができる。【選択図】図１
2011184076.tif 000002
【特許請求の範囲】
【請求項１】
吸収性物品の包装体であって、
包装シート部材にて形成された袋状の包装袋と、
前記包装袋に収容された吸収性物品と、
を備え、
前記包装袋が、
前記吸収性物品の製品情報が視認可能に表示された第１情報表示部と、
前記吸収性物品の製品情報が触覚により認識可能な凸部により表示された第２情報表示部と、
を備えることを特徴とする吸収性物品の包装体。
【請求項２】
請求項１に記載の吸収性物品の包装体であって、
前記包装袋が複数の吸収性物品を収容し、
前記包装袋の形状が、前面、後面、２つの側面、上面および下面を有する略直方体であり、
前記第１情報表示部が前記前面に配置され、
前記第２情報表示部が、前記２つの側面のうち少なくとも一方の側面に配置されることを特徴とする吸収性物品の包装体。
【請求項３】
請求項２に記載の吸収性物品の包装体であって、
前記第２情報表示部が前記少なくとも一方の側面の下半分の領域に配置されることを特徴とする吸収性物品の包装体。
【請求項４】
請求項２または３に記載の吸収性物品の包装体であって、
前記第２情報表示部が、前記２つの側面の両方に配置されることを特徴とする吸収性物品の包装体。
【請求項５】
請求項１に記載の吸収性物品の包装体であって、
前記包装袋が複数の吸収性物品を収容し、
前記包装袋の形状が、前面、後面、２つの側面、上面および下面を有する略直方体であり、
前記第１情報表示部および前記第２情報表示部が前記前面に配置されることを特徴とする吸収性物品の包装体。
【請求項６】
請求項１に記載の吸収性物品の包装体であって、
前記包装袋が複数の吸収性物品を収容し、
前記包装袋の形状が、前面、後面、２つの側面、上面および下面を有する略直方体であり、
前記第１情報表示部が前記前面に配置され、
前記第２情報表示部が、前記前面、前記後面および前記２つの側面に連続して配置されることを特徴とする吸収性物品の包装体。
【請求項７】
請求項１ないし６のいずれかに記載の吸収性物品の包装体であって、
前記凸部が形成されたシート状の情報部材が前記包装シート部材の外面に貼付されることにより前記第２情報表示部が設けられることを特徴とする吸収性物品の包装体。
【請求項８】
請求項１ないし６のいずれかに記載の吸収性物品の包装体であって、
前記包装シート部材の外面を熱硬化させることにより前記凸部が形成されることを特徴とする吸収性物品の包装体。
【請求項９】
請求項１ないし６のいずれかに記載の吸収性物品の包装体であって、
前記包装シート部材の外面に塗布した発泡インクを膨張させることにより前記凸部が形成されることを特徴とする吸収性物品の包装体。
【請求項１０】
請求項９に記載の吸収性物品の包装体であって、
前記発泡インクが有色インクであり、
前記凸部が視認可能な装飾でもあることを特徴とする吸収性物品の包装体。
【請求項１１】
請求項１ないし１０のいずれかに記載の吸収性物品の包装体であって、
前記第１情報表示部と前記第２情報表示部とが互いに重なることなく配置されることを特徴とする吸収性物品の包装体。
【発明の詳細な説明】
【技術分野】
【０００１】
本発明は、包装袋の内部に吸収性物品を収容する包装体に関する。
【背景技術】
【０００２】
従来より、使い捨ておむつや使い捨ておむつの内側に取り付けられる補助吸収具（例えば、尿取りパッド）等の吸収性物品は、複数個が積層されて積層方向に圧縮された状態で包装袋に収容されて販売されている。包装体の形状は通常、略直方体となっており、当該包装体の前面、後面および両側面には、内部に収容された吸収性物品の種類やサイズ、収容枚数等の情報が視認可能に表示されている。
【０００３】
一方、特許文献１および特許文献２では、スナック菓子等の食品や散薬等を包装するフィルム製の包装袋において、商品名や賞味期限、開封方法等の情報を点字にて熱シール部に表示することが提案されている。
【先行技術文献】
【特許文献】
【０００４】
【特許文献１】特開平１１−２９２０９１号公報
【特許文献２】特開平１１−３０１７００号公報
【発明の概要】
【発明が解決しようとする課題】
【０００５】
ところで、吸収性物品が収容された包装体は、視覚障害者が店頭で自ら購入することがあまり想定されておらず、内部に収容された吸収性物品の種類やサイズ、収容枚数等の情報は、包装袋の外面に視認可能に印刷されているのみであった。
【０００６】
本発明は、上記課題に鑑みなされたものであり、視覚障害者であっても所望の吸収性物品を容易に選択することを目的としている。
【課題を解決するための手段】
【０００７】
請求項１に記載の発明は、吸収性物品の包装体であって、包装シート部材にて形成された袋状の包装袋と、前記包装袋に収容された吸収性物品とを備え、前記包装袋が、前記吸収性物品の製品情報が視認可能に表示された第１情報表示部と、前記吸収性物品の製品情報が触覚により認識可能な凸部により表示された第２情報表示部とを備える。
【０００８】
請求項２に記載の発明は、請求項１に記載の吸収性物品の包装体であって、前記包装袋が複数の吸収性物品を収容し、前記包装袋の形状が、前面、後面、２つの側面、上面および下面を有する略直方体であり、前記第１情報表示部が前記前面に配置され、前記第２情報表示部が、前記２つの側面のうち少なくとも一方の側面に配置される。
【０００９】
請求項３に記載の発明は、請求項２に記載の吸収性物品の包装体であって、前記第２情報表示部が前記少なくとも一方の側面の下半分の領域に配置される。
【００１０】
請求項４に記載の発明は、請求項２または３に記載の吸収性物品の包装体であって、前記第２情報表示部が、前記２つの側面の両方に配置される。
【００１１】
請求項５に記載の発明は、請求項１に記載の吸収性物品の包装体であって、前記包装袋が複数の吸収性物品を収容し、前記包装袋の形状が、前面、後面、２つの側面、上面および下面を有する略直方体であり、前記第１情報表示部および前記第２情報表示部が前記前面に配置される。
【００１２】
請求項６に記載の発明は、請求項１に記載の吸収性物品の包装体であって、前記包装袋が複数の吸収性物品を収容し、前記包装袋の形状が、前面、後面、２つの側面、上面および下面を有する略直方体であり、前記第１情報表示部が前記前面に配置され、前記第２情報表示部が、前記前面、前記後面および前記２つの側面に連続して配置される。
【００１３】
請求項７に記載の発明は、請求項１ないし６のいずれかに記載の吸収性物品の包装体であって、前記凸部が形成されたシート状の情報部材が前記包装シート部材の外面に貼付されることにより前記第２情報表示部が設けられる。
【００１４】
請求項８に記載の発明は、請求項１ないし６のいずれかに記載の吸収性物品の包装体であって、前記包装シート部材の外面を熱硬化させることにより前記凸部が形成される。
【００１５】
請求項９に記載の発明は、請求項１ないし６のいずれかに記載の吸収性物品の包装体であって、前記包装シート部材の外面に塗布した発泡インクを膨張させることにより前記凸部が形成される。
【００１６】
請求項１０に記載の発明は、請求項９に記載の吸収性物品の包装体であって、前記発泡インクが有色インクであり、前記凸部が視認可能な装飾でもある。
【００１７】
請求項１１に記載の発明は、請求項１ないし１０のいずれかに記載の吸収性物品の包装体であって、前記第１情報表示部と前記第２情報表示部とが互いに重なることなく配置される。
【発明の効果】
【００１８】
本発明では、視覚障害者であっても所望の吸収性物品を容易に選択することができる。また、請求項２ないし６の発明では、商品選択の際に手が触れる可能性が高い部位に凸部を設けることにより、視覚障害者の吸収性物品の選択をより容易とすることができる。
【図面の簡単な説明】
【００１９】
【図１】第１の実施の形態に係る包装体の斜視図である。
【図２】第２の実施の形態に係る包装体の斜視図である。
【図３】第３の実施の形態に係る包装体の斜視図である。
【発明を実施するための形態】
【００２０】
図１は、本発明の第１の実施の形態に係る包装体１を示す斜視図である。包装体１は、吸収性物品９のパッケージであり、包装袋３の内部に複数の吸収性物品９を収容した構造を有する。包装袋３は、包装シート部材にて袋状に形成されたものであり、包装袋３には、複数の吸収性物品９が図１中のＸ方向に積層されて圧縮された状態で収容される。包装シート部材としては、例えば、ポリエチレン等の樹脂製の柔軟な可撓性フィルムが利用される。吸収性物品９は、使い捨ておむつや使い捨ておむつの内側に取り付けられる補助吸収具（例えば、尿取りパッド）、生理用品等であり、図１では、それぞれ２つ折りにされた約２０枚の吸収性物品９が包装袋３に収容されている。
【００２１】
複数の吸収性物品９を収容した状態における包装袋３の形状は略直方体である。包装袋３は、複数の吸収性物品９の（＋Ｚ）側および（−Ｚ）側をそれぞれ覆う上面１１および下面１２、複数の吸収性物品９の（−Ｙ）側および（＋Ｙ）側をそれぞれ覆う前面１３および後面１４、並びに、複数の吸収性物品９の（＋Ｘ）側および（−Ｘ）側をそれぞれ覆う２つの側面１５，１６を有する。なお、包装袋３の上面１１、下面１２、前面１３、後面１４および側面１５，１６は、包装体１の上面、下面、前面、後面および側面でもある。
【００２２】
前面１３は、通常、商品名や商品の特徴が大きく記載される面であり、包装体１の前面１３および後面１４の水平方向（Ｘ方向）の幅は、２つの側面１５，１６の水平方向（Ｙ方向）の幅よりも大きい。なお、前面１３および後面１４の双方に大きく商品名等が記載される場合、いずれの面が前面または後面と捉えられてもよい。上面１１は、複数の吸収性物品９の周囲を囲む前面１３、後面１４および２つの側面１５，１６により下面１２に接続される。
【００２３】
包装袋３は、さらに、上面１１のＹ方向のおよそ中央に接続される把持部１７を有する。把持部１７はＸ方向に伸びる帯状であり、把持部１７のＸ方向のおよそ中央には開口１７１が形成されている。包装体１の購入者等が把持部１７を把持する際には、購入者等の指が開口１７１に挿入され、開口１７１の上側の部位が把持される。
【００２４】
包装袋３では、第１情報表示部２１が上面１１、前面１３、後面１４、並びに、（＋Ｘ）側および（−Ｘ）側の側面１５，１６に配置されており、第１情報表示部２１には、吸収性物品９の製品情報や、購買意欲の向上を図る模様等の装飾が視認可能に表示される。製品情報とは、吸収性物品９の種類やサイズ、収容枚数等、包装体１を購入する際に購入者が通常必要とする様々な情報を指す。第１情報表示部２１は、包装袋３を形成する包装シート部材の外面に、通常のインクにより製品情報を印刷することにより設けられる。
【００２５】
包装袋３では、また、第２情報表示部２２が、前面１３、（＋Ｘ）側の側面１５、後面１４および（−Ｘ）側の側面１６に連続して配置される。換言すれば、第２情報表示部２２は包装体１の全周に亘って設けられる。第２情報表示部２２には、吸収性物品９の製品情報が点字により表示される。点字による情報の表示とは、当該情報が触覚により認識可能とされることであり、視覚による認識を可能とする通常の情報表示とは異なる。好ましくは、図１に示すように、第２情報表示部２２は包装袋３の下面１２近傍に設けられるが、前面１３、後面１４および側面１５，１６の下半分の領域に設けられるのであれば、様々な場所に設けられてよい。第２情報表示部２２に表示される製品情報は、通常、第１情報表示部２１に表示される製品情報の一部である。包装体１の前面１３、後面１４および２つの側面１５，１６では、第１情報表示部２１と第２情報表示部２２とが互いに重なることなく配置される。
【００２６】
第２情報表示部２２は、点字が形成されたシート状の情報部材が、包装袋３の包装シート部材の外面にホットメルト接着剤等により貼付されることにより設けられる。当該情報部材は、包装シート部材に比べて厚くて丈夫なシート部材であり、例えば、樹脂材料により形成される。第２情報表示部２２の製品情報は、必ずしも点字により表示される必要はなく、触覚により認識可能な凸部により表示されていればよい。凸部による表示とは、例えば、凸部の形状や複数の凸部の配置の違いにより製品の種類やサイズ等を判別可能とすることを指す。また、凸部による表示には、第２情報表示部２２内の所定箇所における凸部の有無により製品の種類やサイズ等を判別可能とすることも含む。
【００２７】
第２情報表示部２２では、上述のように、吸収性物品９の製品情報が触覚により認識可能な凸部により表示される。このため、吸収性物品を販売する販売店等において、陳列棚に陳列された複数種類の包装体１の包装袋３を視覚障害者が触ることにより、包装袋３の内部に収容された吸収性物品９の製品情報を入手する（すなわち、触覚により読み取る）ことができる。その結果、視覚障害者であっても、所望の吸収性物品９を容易に選択することができる。
【００２８】
包装袋３では、視覚障害者が包装体１を陳列棚等から取り出す際に手が触れる可能性が高い側面１５，１６に第２情報表示部２２が配置される。これにより、視覚障害者による吸収性物品９の製品情報の入手を容易とすることができる。第２情報表示部２２は、２つの側面１５，１６のうち少なくとも一方の側面に配置されていれば、視覚障害者による吸収性物品９の製品情報の入手を容易とすることができるが、２つの側面１５，１６の両方に配置されることにより、視覚障害者による製品情報の入手をより容易とすることができる。
【００２９】
包装体１は比較的重いため、陳列棚等から包装体１を取り出す者は、２つの側面１５，１６の下半分の領域に両手を当接させて左右両側から挟み込むようにして持ち上げることが多い。包装体１では、第２情報表示部２２が、２つの側面１５，１６のうち少なくとも一方の側面の（より好ましくは、両方の側面の）下半分の領域に配置されることにより、陳列棚等から包装体１を取り出す際に第２情報表示部２２に手が触れる可能性が高くなる。その結果、視覚障害者による吸収性物品９の製品情報の入手をさらに容易とすることができる。
【００３０】
包装袋３では、視覚障害者が陳列棚上の包装体１に触れて存在を確認する際等に手が触れる可能性が高い前面１３に第２情報表示部２２が配置される。これにより、視覚障害者による吸収性物品９の製品情報の入手が容易とされる。また、第２情報表示部２２が、前面１３、後面１４および２つの側面１５，１６に連続して設けられることにより、陳列棚上の包装体１の向きにかかわらず、視覚障害者が吸収性物品９の製品情報を容易に入手することができる。
【００３１】
視覚障害者による吸収性物品９の選択を容易とするという観点からは、第２情報表示部２２は、例えば、前面１３、後面１４および２つの側面１５，１６のうち一の面のみに配置されてもよい。第２情報表示部２２が側面１５，１６のみに配置される場合、前面１３や後面１４において第１情報表示部２１の面積を大きくすることができる。
【００３２】
包装袋３では、第１情報表示部２１と第２情報表示部２２とが互いに重なることなく配置されることにより、第２情報表示部２２により第１情報表示部２１の視認（特に、第１情報表示部２１に表示された製品情報）が阻害されることを防止することができる。また、包装袋３では、点字等の凸部が形成されたシート状の情報部材が、包装シート部材の外面に貼付されることにより、第２情報表示部２２を容易に形成することができる。さらに、帯状の情報部材が、前面１３、後面１４および２つの側面１５，１６に連続して貼付されることにより、Ｘ方向に圧縮された複数の吸収性物品９の復元力による包装袋３の膨張（すなわち、側面１５，１６が外側に向けて膨らむこと）を容易に防止することができる。
【００３３】
包装袋３では、第２情報表示部２２として、必ずしもシート状の情報部材が貼付される必要はない。例えば、点字等の凸部に対応する突起が形成された加熱ツールと、当該突起に対応する窪みが形成された加熱ツールとにより、吸収性物品９が収容される前の包装シート部材を挟み、包装シート部材の外面を熱硬化させることにより第２情報表示部２２の凸部が形成されてもよい。この場合も、情報部材の貼付と同様に、第２情報表示部２２を容易に形成することができる。また、情報部材を使用する必要がないため、包装袋３の材料コストを低減することができる。
【００３４】
第２情報表示部２２の凸部は、包装シート部材の外面にインクジェットプリンタ等により発泡インクを塗布し、当該発泡インクを加熱して膨張させることにより形成されてもよい。この場合も、第２情報表示部２２を容易に形成することができる。また、凸部の形状や配置等を容易に変更することができるため、発泡インクによる凸部の形成は、複数種類の包装袋に対して第２情報表示部２２を形成する場合に特に適している。さらに、発泡インクとして有色インクが利用され、第２情報表示部２２において凸部が視認可能な装飾とされてもよい。これにより、第２情報表示部２２を、晴眼者の購買意欲を向上させる領域として利用することができる。
【００３５】
次に、本発明の第２の実施の形態に係る包装体について説明する。図２は、第２の実施の形態に係る包装体１ａを示す斜視図である。包装体１ａの包装袋３ａでは、第１情報表示部２１および第２情報表示部２２の形状および配置が、図１に示す包装袋３と異なる。包装体１ａの他の構成は、図１に示す包装体１と同様であり、以下の説明では、包装体１ａの構成のうち包装体１の構成に対応するものに同符号を付す。
【００３６】
包装体１ａでは、第２情報表示部２２が包装袋３ａの前面１３のみに設けられ、第１情報表示部２１と重なることなく、前面１３の上半分の領域（本実施の形態では、上面１１近傍）に配置される。販売店等において包装体１ａが陳列棚の低い位置に陳列される場合には、視覚障害者は包装袋３ａの前面１３の上半分の領域に触れる可能性が高い。したがって、前面１３の上半分の領域に第２情報表示部２２を配置することにより、視覚障害者による吸収性物品９の製品情報の入手がより容易とされる。なお、前面１３および後面１４の双方に大きく商品名等が記載され、後面１４が陳列棚の正面に位置するように包装体１ａが陳列される可能性がある場合には、第２情報表示部２２が前面１３および後面１４の双方の上半分の領域に設けられることが好ましい。
【００３７】
次に、本発明の第３の実施の形態に係る包装体について説明する。図３は、第３の実施の形態に係る包装体１ｂを示す斜視図である。包装体１ｂの包装袋３ｂでは、第１情報表示部２１および第２情報表示部２２の形状および配置が、図１に示す包装袋３と異なる。包装体１ｂの他の構成は、図１に示す包装体１と同様であり、以下の説明では、包装体１ｂの構成のうち包装体１の構成に対応するものに同符号を付す。
【００３８】
包装体１ｂでは、第２情報表示部２２が包装袋３ｂの上面１１のみに第１情報表示部２１と重なることなく配置される。販売店等において包装体１ｂが床上に積み重ねて陳列される場合や、着用者の居宅等において複数種類の吸収性物品（例えば、テープタイプの使い捨ておむつとパンツタイプの使い捨ておむつ、および、補助吸収具）がそれぞれ包装袋に収容された状態で床上に載置されたり、棚上にて横倒しにして（すなわち、前面１３、後面１４および側面１５，１６のうちの一の面を下にした状態で）保管される場合、視覚障害者は包装袋３ｂの上面１１に触れる可能性が高い。したがって、上面１１に第２情報表示部２２を配置することにより、視覚障害者による吸収性物品９の製品情報の入手がより容易とされる。
【００３９】
以上、本発明の実施の形態について説明してきたが、本発明は上記実施の形態に限定されるものではなく、様々な変更が可能である。
【００４０】
例えば、第２情報表示部２２の凸部により第１情報表示部２１の視認がほとんど阻害されない場合は、第１情報表示部２１と第２情報表示部２２とが重ねて配置されてもよい。
【００４１】
上述の包装体では、例えば、複数の吸収性物品９が上下方向に２段以上積み重ねられた状態で包装袋の内部に収容されてもよい。内部に吸収性物品９が収容された包装袋の形状は必ずしも略直方体には限定されず、また、包装袋の内部には１つの吸収性物品９のみが収容されてもよい。
【符号の説明】
【００４２】
１，１ａ，１ｂ    包装体
３，３ａ，３ｂ    包装袋
９    吸収性物品
１１    上面
１２    下面
１３    前面
１４    後面
１５，１６    側面
２１    第１情報表示部
２２    第２情報表示部
【図１】
2011184076.tif 000003
【図２】
2011184076.tif 000004
【図３】
2011184076.tif 000005